(57)【要約】      （修正有）【課題】着用時における清涼感が高く、衛生面、生産性、組み立て加工性、装着感に優れたフェイスシールドを提供する。【解決手段】フェイスシールド１０は、顔面を覆う部位２０と、頭部に固定する部位３０と、顔面を覆う部位２０と頭部に固定する部位３０とを連結する部位４０とからなり、かつ、それらが１枚の可撓性を有する透明シートで形成されており、かつ、頭部に固定する部位３０は頭部の全周で支持されることによって頭部に固定する。【選択図】図１
0003229130.tif 000002
【実用新案登録請求の範囲】
【請求項１】
顔面を覆う部位（２０）と、頭部に固定する部位（３０）と、該顔面を覆う部位（２０）と該頭部に固定する部位（３０）とを連結する部位（４０）とからなり、かつ、それらが１枚の可撓性を有する透明シートで形成されており、かつ、前記頭部に固定する部位（３０）は頭部の全周で支持されることによって頭部に固定する構造を有するフェイスシールド。
【請求項２】
前記頭部の全周で支持されることによって頭部に固定する構造は、頭部に固定する部位（３０）中に長手方向に向かって延在する切り込み部（３３）によって構成される頭部の前周部によって支持される部分（３０ａ）と頭部の後周部によって支持される部分（３０ｂ）とからなることを特徴とする請求項１に記載のフェイスシールド。
【請求項３】
前記長手方向に向かって延在する切り込み部（３３）の延長線上に前記切り込み部（３３）の幅よりも頭部に固定する部位（３０）の幅方向において大きな長さを有する孔（３４）が穿設されている請求項１または２に記載のフェイスシールド。
【請求項４】
前記顔面を覆う部位（２０）は、その長手方向両端部に、前記頭部に固定する部位（３０）に係止可能とする係止機構を有する請求項１〜３のいずれかに記載のフェイスシールド。
【請求項５】
前記係止機構は、前記顔面を覆う部位（２０）内に穿設された上に開いたＵ字状もしくはコの字状の孔若しくは切り込みによって設けられるタブである請求項４に記載のフェイスシールド。
【請求項６】
前記顔面を覆う部位（２０）と頭部に固定する部位（３０）とを連結する部位（４０）は、複数の箇所において顔面を覆う部位（２０）と頭部に固定する部位（３０）とを連結していることを特徴とする請求項１〜５のいずれかに記載のフェイスシールド。
【請求項７】
前記可撓性を有する透明シートは樹脂から実質的になるものである請求項１〜６のいずれかに記載のフェイスシールド。
【請求項８】
前記可撓性を有する透明シートは、厚みが１０〜５００μｍである請求項１〜７のいずれかに記載のフェイスシールド。
【考案の詳細な説明】
【技術分野】
【０００１】
本考案は、着用時の清涼感に優れ、衛生面、生産性、組み立て加工性に優れたフェイスシールドに関する。
【背景技術】
【０００２】
近年、新型感染症の拡大により人々の健康や経済活動がしばしば脅かされ、人的損失や経済的損失が発生している。特に２０２０年に発生した新型肺炎では、無症状の感染者を通じた感染拡大が制御困難となり、世界規模で経済活動が制約された。そのような状況下では、感染の自覚、無自覚にかかわらずヒトからヒトへの飛沫感染を防止する目的で、例えば不織布や布製の材質を用いたマスクの着用が推奨されている。
【０００３】
飛沫感染とは、感染者の口からウィルス等を含む飛沫が咳やクシャミ等で飛散し未感染者の目、鼻、口などから体内に侵入する感染経路であり、条件によっては飛散した飛沫が微細なエアロゾルとなって長時間浮遊することが知られている。その他に、ウィルス等で汚染した手で顔に触り、目、鼻、口などから体内へ侵入する接触感染もある。これら他人からの感染を防止する方法には、マスク以外にも顔面を透明シールドで覆いウィルス等の侵入を防止する方法がある。特に夏季は体温が保護具内にとどまって熱中症の危険が高まるため、通気性のよいフェイスシールドの要求が高まっている。
【０００４】
従来からフェイスシールドといえば、建築などの工事現場では安全ヘルメットに別途シールドを取り付けてフェイスシールドとするもの（例えば、特許文献１）、医療現場ではマスクとシールドを一体化させ頭部を袋状にして囲ったフェイスシールド（例えば、特許文献２）が知られている。また、１種の素材で一体化したフェイスシールドの例としては、美容用に関する（例えば、特許文献３）日焼け防止のための布製のフェイスシールドが知られている。
【先行技術文献】
【特許文献】
【０００５】
【特許文献１】実開昭６２−１０６９３２号公報
【特許文献２】特表２０１８−５０２９９９号公報
【特許文献３】実用新案登録第３２０７５６７号公報
【考案の概要】
【考案が解決しようとする課題】
【０００６】
上記特許文献１、２の発明あるいは考案においては、シールドを頭部に固定するためには他の部材との組み合わせが必要不可欠であるため、複数の製造工程を必要とする。このような新型肺炎の急激な蔓延の中、世界各国の生産工場も感染防止のため休業を余儀なくされ、こういった種々の材料の調達や複数の加工工程を必要としたフェイスシールドの生産量に限界がある。一方、特許文献３の考案においては、繊維単体で１つのフェイスシールドとすることはできている。しかし、通気性が高い布は飛沫感染、エアロゾルによる感染抑制といった点は医療保護具としての機能性が低い。また、特に、人が集まる場所の建屋内部での事務所や作業現場では、フェイスシールドを継続して使用する要求が高いところ、特に医療や介護関係の施設では、衛生面を考慮して患者や介護者が入れかわる都度、フェイスシールドの薬剤洗浄や煮沸消毒などの滅菌作業を要し、衛生面の維持に要する薬剤の入手確保や費用負担、メンテナンス作業など、使用者において大きな負担となっている。また、特許文献２では頭部がフェイスシールドで覆われるために密閉状態となりやすく、また、特許文献３では顔面にマスクが接触するため息苦しさを覚えることとなり夏季においては熱中症となる危険性も指摘される。
【０００７】
本考案は、上記に鑑みて、着用時における清涼感を維持し、良好な装着感を得ること、フェイスシールドの衛生面、生産性、組み立て加工性に優れたフェイスシールドを提供せんとするものである。
【課題を解決するための手段】
【０００８】
本考案者らは、上記課題の解決を探究した結果、本考案の完成に至った。
【０００９】
すなわち、本考案の本旨とするところは、次のとおりである。
（１）顔面を覆う部位（２０）と、頭部に固定する部位（３０）と、該顔面を覆う部位（２０）と該頭部に固定する部位（３０）とを連結する部位（４０）とからなり、かつ、それらが１枚の可撓性を有する透明シートで形成されており、かつ、かつ、前記頭部に固定する部位（３０）は頭部の全周で支持されることによって頭部に固定する構造を有するフェイスシールド。
（２）前記頭部の全周で支持されることによって頭部に固定する構造は、頭部に固定する部位（３０）中に長手方向に向かって延在する切り込み部（３３）によって構成される頭部の前周部によって支持される部分（３０ａ）と頭部の後周部によって支持される部分（３０ｂ）とからなることを特徴とする前記（１）に記載のフェイスシールド。
（３）前記長手方向に向かって延在する切り込み部（３３）の延長線上に前記切り込み部（３３）の幅よりも頭部に固定する部位（３０）の幅方向において大きな長さを有する孔（３４）が穿設されている前記（１）または（２）に記載のフェイスシールド。
（４）前記顔面を覆う部位（２０）は、その長手方向両端部に、前記頭部に固定する部位（３０）に係止可能とする係止機構を有する前記（１）〜（３）のいずれかに記載のフェイスシールド。
（５）前記係止機構は、前記顔面を覆う部位（２０）内に穿設された上に開いたＵ字状もしくはコの字の孔若しくは切り込みによって設けられるタブである前記（４）に記載のフェイスシールド。
（６）前記顔面を覆う部位（２０）と頭部に固定する部位（３０）とを連結する部位（４０）は、複数の箇所において顔面を覆う部位（２０）と頭部に固定する部位（３０）とを連結している前記（１）〜（５）のいずれかに記載のフェイスシールド。
（７）前記可撓性を有する透明シートは樹脂から実質的になるものである前記（１）〜（６）のいずれかに記載のフェイスシールド。
（８）前記可撓性を有する透明シートは、厚みが１０〜５００μｍである前記（１）〜（７）のいずれかに記載のフェイスシールド。
【考案の効果】
【００１０】
本考案によれば、着用時における清涼感が高く、衛生面、生産性、組み立て加工性、装着感に優れたフェイスシールドを提供することができる。
【図面の簡単な説明】
【００１１】
【図１】本考案のフェイスシールドの実施態様の一例を説明する図である。
【図２】本考案のフェイスシールドの図１に示した態様とは別の実施態様を説明する図である。
【図３】図１に図示したフェイスシールドを装着したときの状態を説明するための参考図である。
【考案を実施するための形態】
【００１２】
本考案のフェイスシールドについて、図面を参照しつつ以下説明する。但し、本考案は図面に具体的に表された態様に限定して解釈されるものではなく、本考案の趣旨を逸脱しない範囲において種々の態様をとることができる。
【００１３】
本考案のフェイスシールドは、顔面を覆う部位（２０）と、頭部に固定する部位（３０）と、該顔面を覆う部位（２０）と該頭部に固定する部位（３０）とを連結する部位（４０）（以下単に、「連結部位（４０）」ということがある）とからなり、それらは１枚の可撓性を有する透明シートで形成されている。
【００１４】
すなわち、顔面を覆う部位（２０）と、頭部に固定する部位（３０）と、連結部位（４０）とはシームレスで繋がって一体化している。
【００１５】
これらの部位は一体的に作製されているので、本考案のフェイスシールドは、１枚の可撓性のある透明シートから、切り出したり、打ち抜いたりして得ることができる。切り出しや打ち抜きの方法には特に制限はなく、例えば、レーザー光による切断や型枠を用いた打ち抜きの方法を挙げることができる。レーザー光による切断の場合は、切断部は一旦溶融等するために切断面が鋭利な形状やギザギザな形状とはなりにくく、安全性の点で優位である。一方、打ち抜き加工の場合は、複数枚の透明シートを重ね一気に打ち抜いて製作することができるので、短時間で多くのフェイスシールドを生産することができ、生産性の点で有利な方法である。また、必要な構成が１枚の透明シートに具備されているので、後加工工程を減らすことができ、経済的に有利である。この経済的に有利な点によって、本考案のフェイスシールドを使い捨てのフェイスシールドとすることもできるため、常に衛生面が保たれたフェイスシールドとして使用することが可能である。また、１枚の透明シートで形成されている点はマテリアルリサイクルしやすいところも有利な点として挙げられる。なお、透明シートは１枚のシートであれば、例えば種類の異なる樹脂の積層体であるといった、積層体であっても構わない。
【００１６】
本考案のフェイスシールドは可撓性を有する透明シートによって形成されている。ここで、可撓性を有するとは、外力によって撓ませることができるが、塑性変形せず自らの弾性によって元の形状に戻ろうとする復元力を持つことをいう。
【００１７】
そのような可撓性を有する透明シートとしては、樹脂製のシートであることが挙げられる。また、熱可塑性の樹脂製であることが望ましく、また、結晶性の樹脂であることが望ましい。そのような結晶性の樹脂としては、結晶化度が１５％〜５０％の範囲であることが好ましく、例えば、ポリエチレン、ポリプロピレン、ポリメチルペンテンなどに代表されるポリオレフィン樹脂、ナイロン６６、ナイロン６などに代表されるポリアミド樹脂、ポリエチレンテレフタレート、ポリブチレンテレフタレート、ポリエチレンナフタレートなどに代表されるポリエステル樹脂、その他、スチレン系樹脂、ポリアセタール樹脂、ポリフェニレンサルファイド樹脂などが挙げられる。また、これらの樹脂のホモポリマであってもよいが、結晶性を損なわない範囲で共重合体でも良い。
【００１８】
本考案においては、樹脂としては、ポリエステル樹脂を用いることが、その優れた機械的性質、熱的性質などの点で好ましい。ポリエステルとは、ジオールとジカルボン酸とから縮重合により得られる樹脂であり、ジカルボン酸としては、テレフタル酸、イソフタル酸、フタル酸、ナフタレンジカルボン酸、アジピン酸、セバチン酸などで代表されるものであり、また、ジオールとは、エチレングリコール、トリメチレングリコール、テトラメチレングリコール、シクロヘキサンジメタノールなどで代表されるものである。具体的には例えば、ポリメチレンテレフタレート、ポリエチレンテレフタレート、ポリテトラメチレンテレフタレート、ポリエチレン−ｐ−オキシベンゾエート、ポリ−１，４−シクロヘキサンジメチレンテレフタレート、ポリエチレン−２，６−ナフタレートなどがあげられる。もちろん、これらのポリエステルは、ホモポリマであっても結晶性を損なわない範囲でコポリマであっても良く、共重合成分としては、例えば、ジエチレングリコール、ネオペンチルグリコール、ポリアルキレングリコールなどのジオール成分、アジピン酸、セバチン酸、フタル酸、イソフタル酸、２，６−ナフタレンジカルボン酸などのジカルボン酸成分があげられる。本考案の場合、特に、ポリエチレンテレフタレート、ポリエチレン−２，６−ナフタレートが機械的強度、耐熱性、耐薬品性、耐久性などの観点から好ましく、こうした樹脂を本考案のフェイスシールドに用いることで、飛沫の飛散を防止し、または他人からの飛沫や空気中のエアロゾルの吸い込みを抑制しやすく出来る。
【００１９】
また、樹脂を用いる場合にあっては、組み立て加工性の向上や組み立て加工後のフェイスシールドの剛性を発現させるために、好ましく延伸加工を行うことができる。延伸加工は、一軸延伸、二軸延伸などの方法を適宜採用することができる。
【００２０】
また、透明であるとは、曇りや濁りがなく、入射した平行光線を散乱・吸収せず平行のまま通過させることをいい、全光線透過率としては、８５％以上であることが好ましく、９０％以上であることがより好ましい。また、フィルムの濁り度の指標であるヘイズ値は２．０％以下、好ましくは１．０％以下であることが好ましい。なお、考案の目的を阻害しない限りにおいて、樹脂中に公知の各種添加剤、例えば、酸化防止剤、帯電防止剤、紫外線吸収剤、結晶核剤、無機粒子などが含まれていても良く、また、表面に防眩や反射光低減の目的、耐擦過性の向上、あるいは、結露防止の目的等の目的で何らかのコーティングが施されていても構わない。また、透明であれば、着色していても構わない。
【００２１】
また、透明シートの表面に埃や菌などが付着することを低減させるため、表面に帯電防止剤を含有する層を設けることは好ましい態様である。一般的にはオフラインで樹脂原料中に帯電防止剤を添加した水溶性塗液を塗布乾燥したり、透明シートの製造工程時に表面にインラインで該水溶性塗液を塗布乾燥したりする例が挙げられる。
【００２２】
本考案において、フェイスシールドを形成する可撓性を有するシートの厚みは、１０〜５００μｍであることが好ましい。１０μｍでは厚みが薄すぎ、フェイスシールドとしての組み立て後の自立性を有しないおそれがあり、また、５００μｍを超えると剛性が高くなりすぎて組み立て加工性を損ねる可能性がある。本考案では、適度な剛性をもったフェイスシールドとできる点で、フェイスシールドを形成する可撓性を有するシートの厚みは、さらに好ましくは、５０μｍ〜２００μｍである。そのような透明シートの例としては、東レ株式会社製、“ルミラー”Ｔ６０、Ｕ３４、Ｕ４８など挙げることができる。
【００２３】
本考案のフェイスシールドは、顔面を覆う部位（２０）と、頭部に固定する部位（３０）と、連結部位（４０）とからなる。なお、これらが１枚の透明シートで形成されていれば、他の目的のための部位が含まれていても構わない。顔面を覆う部位（２０）は、他人からの飛沫やエアロゾルの吸引を抑制するための部位である。その形状および面積は、前記の目的に照らして適宜設定することができるが、着用した際に頭部から顎下まで、また、右頬から左頬の全面がおおわれるに十分な形状・面積とすることが好ましい。形状の例としては、例えば、直線状の底辺を持つ形状であってもよいし、Ｕ字型のような前下がりの形状として首の左右の動きがしやすくなるようなカーブを有する形状としてもよい。また、角部分は角丸の形状とすることが好ましい。
【００２４】
頭部に固定する部位（３０）は、前記顔面を覆う部位（２０）を後述する連結部位（４０）を介して頭部にて支持するための部位であり、当該支持は、頭部の全周で支持されることによって行われる構造を有している。すなわち、本考案のフェイスシールドは、装着時において、頭部に固定する部位（３０）が頭部の全周を取り巻くように存在させることが可能となっている。そのような構造としては、固定（支持）を予定する頭部の周囲長よりも頭部に固定する部位（３０）の長さの方を長くし、当該頭部に固定する部位を頭周に沿わせて巻いていったときに、重なる部分で固定する構造、そのような構造としては例えば、図２に示すように、一方にタブ（３６ａ）を、他方にタブが嵌合できるスリット（３６ｂ）を配して、当該スリット（３６ｂ）にタブ（３６ａ）を挿入して一方端に他方端に留める構造が挙げられる。また、図１に示すように、頭部に固定する部位（３０）の中に長手方向に向かって延在する切り込み部（３３）を設ける構造が挙げられ、この構造では装着時に当該切り込み部を、切り込み部から上の部分を頭部の半周部に、切り込み部から下の部分を頭部の他の半周部に対応させる形に開いて、頭部への支持を行うことが想定される。装着が容易であることから、頭部の全周で支持されることによって固定される構造としては、頭部に固定される部位（３０）中に長手方向に向かって延在する切り込み部（３３）によって構成される頭部の前周部によって支持される部分（３０ａ）と頭部の後周部によって支持される部分（３０ｂ）とからなる構造とすることが好ましい。
【００２５】
なおここで、「長手方向」とは、頭周に沿わせる方向であり、また、帯状となる頭部に固定される部位（３０）において長手側に向かう方向をいう。（図１参照）
また、頭部に固定する部位（３０）は、前記長手方向に向かって延在する切り込み部（３３）の延長線上に、好ましく、前記切り込み部（３３）の幅よりも頭部に固定する部位（３０）の幅方向（前記長手方向に直交する方向をいう。以下同じ）において大きな長さを有する孔（３４）が穿設されている。切り込み部（３３）の長さは、装着時に当該切り込み部を、切り込み部から上の部分を頭部の半周部に、切り込み部から下の部分を頭部の他の半周部に対応させる形に開いて、頭部への支持を行う場合には、固定位置における頭部の全周の長さの半分強の長さを要することとなるが、使用者の頭のサイズに拠っては長さの調整が必要となり、切り込みを拡大させたいとするニーズが生じる。孔（３４）を設けることによって、切り込み部からさらに切り込みを孔（３４）まで拡大させたときに、切り込み端部から、頭部に固定される部位（３０）が裂けることを防止することができる。孔（３４）の形状に特に制限は無いが、通常は円形か幅方向に沿った辺を切り込み部（３３）側とは反対側に有する方形であり、このような形状とすることで、頭部に固定される部位（３０）に応力がかかったときに切り込み部が裂けることを防止することができる。なお、この孔は幅方向において必要な長さを有していれば切り込み状の形状であっても構わない。
【００２６】
また、前記の孔（３４）は、頭部に固定する部位（３０）に設けられた長手方向に向かって延在する切り込み部（３３）の延長線上に複数設けられていても構わない。孔（３４）を複数設けることによって、切り込み部（３３）の切り込みを拡大するときの長さの選択肢を拡げることが可能となり、頭部へのフィット感を改善することができる。なお、孔（３４）を複数設ける場合の孔間の間隔は必要に応じて適宜設定できる。
【００２７】
また、本考案のフェイスシールドは、顔面を覆う部位（２０）と頭部に固定する部位（３０）とを連結する部位（４０）を有している。当該連結部位（４０）の長手方向に向かっての長さは、顔面を覆う部位（２０）の長手方向に向かっての長さ、および、頭部に固定する部位（３０）の長手方向に向かっての長さよりも小さくすることが装着感を高める観点で好ましく、通常は、１０ｍｍ〜５０ｍｍ程度の長さである。また、幅方向に向かっての長さは、可撓性を有する透明シートの曲げ弾性を考慮して適宜定めることができるが、通常は、１５ｍｍ〜１００ｍｍ程度、好ましく、２０ｍｍ〜４０ｍｍ程度の長さである。また、当該部位は複数設けることも可能であり、顔面を覆う部位（２０）の長手方向の中心に幅方向に向かう直線（中心線（４１））を想定したとき、当該直線に対して対称の位置に設けることが美観の観点および装着時に顔面を覆う部位（２０）が顔面に沿うように配置しやすくできるので好ましい。
【００２８】
また、本考案のフェイスシールドにおいては、好ましく、前記顔面を覆う部位（２０）は、その長手方向両端部に、前記頭部に固定する部位（３０）に係止可能とする係止機構を備えている。かかる係止機構を設けることによって、顔面を覆う部位（２０）の長手方向両端部を頭部に固定する部位（３０）に留めることができるので、顔面を覆う部位（２０）をよりいっそう顔面に沿った形状に配置することができ、装着感が向上し、また、シールドとしての機能をさらに高めることができる。かかる係止機構としては頭部に固定する部位（３０）に、少なくとも装着の間、留めることができれば特に制限は無いが、図１に示すように、顔面を覆う部位（２０）内に穿設された上に開いたＵ字状もしくはコの字状の孔によって設けられるタブとすることが好ましく、前記のＵ字状もしくはコの字状の孔に頭部に固定する部位（３０）を差し込み、噛み合わせることで簡便に係止することができる。また、そのような構造であれば使用後に噛み合わせを外すことも容易である。なお、図１においてはＵ字状もしくはコの字状の孔による態様を示したが、Ｕ字状もしくはコの字状の切り込みによってタブの形成を行うと、より強固に留めることができるので、好ましい。
【００２９】
次に、本考案にかかる図１に図示されたフェイスシールドの装着の態様について、図３を参照しながら説明する。なお、孔（３４）は図示していない。
【００３０】
まず、頭部に固定する部位（３０）の上辺が下に向くように連結部位（４０）において湾曲させる。次いで、頭部に固定する部位（３０）の切り込み部（３３）を開いて、頭部の前周によって支持される部分（３０ａ）と頭部の後周部によって支持される部分（３０ｂ）を得て、当該頭部の前周によって支持される部分（３０ａ）と頭部の後周部によって支持される部分（３０ｂ）で挟まれる空間に頭部を入れることで、頭部に固定する部位（３０）を頭部に固定する。次いで、顔面を覆う部位（２０）の長手方向両端に設けられたタブ（２１）を前記頭部の前周によって支持される部分（３０ａ）の頭の側に差し込み、コの字状の孔に顔面を覆う部位（２０）の端部を噛み合わせて係止する。
【００３１】
この装着態様では、連結部位（４０）における透明シートの弾性を利用して、顔面を覆う部位（２０）と顔面との間に適度な空間を確保でき、また、顔面を覆う部位（２０）の長手方向の両端が頭部の前周によって支持される部分（３０ａ）に留められるようになっているので、顔面を覆う部位（２０）の位置は安定し、極めて良好な装着感および極めて良好なシールド性を得ることができる。また、頭部に固定する部位（３０）における透明シートの弾性、曲げに抗する復元力、を利用して適度な締め付け感を頭部に得ることができ、極めて良好な装着感を得ることができる。
【００３２】
＜フェイスシールドの製造方法＞
次に、本実施形態にかかるフェイスシールドの製造方法について説明する。図１は、本考案の１枚の透明シートからなるフェイスシールドの実施態様図である。
【００３３】
まず、フェイスシールド（１０）の元となるシート（例えば、東レ株式会社製のルミラー７５μｍの厚さＵ３４、全光線透過率９３％、ヘイズ値０．３１％）を適当な大きさにカットする。
【００３４】
次に、シートの下側にクッション材を置きシートの上面から、図１に模った打ち抜き金具を室温にてシートに押し当て裁断するか、図１の形状をあらかじめ記憶装置に認識させアウトプット信号によりレーザー光がシートに照射反応するレーザー照射装置を使って切断する。打ち抜き金具であれば複数枚積層も可能である。
【００３５】
その後、不要な部分を取り除くトリミング処理を行い、これによりフェイスシールドが出来上がる。
【００３６】
以上のように説明したとおり、本考案のフェイスシールドは１枚の透明シートを適宜、レーザー照射加工や、打ち抜き加工してなるものであるが、打ち抜き加工の場合の製造時は、必要な枚数を重ね一気に多数のフェイスシールドを製造することができるため生産性に優れ、簡易な組み立てによりフェイスシールドとすることが出来る。また、使い捨てフェイスシールドとすることにより、これまで行ってきたフェイスシールドの洗浄の手間も省くことができ、特に医療従事者への負担を削減することが出来、衛生面に優れ、より普及性に備えるものである。
【符号の説明】
【００３７】
１０  フェイスシールド
２０  顔面を覆う部位
２１  タブ
３０  頭部に固定する部位
３０ａ  頭部の前周によって支持される部分
３０ｂ  頭部の後周によって支持される部分
３３  切り込み部
３４  孔
３６ａ  タブ
３６ｂ  スリット
４０  顔面を覆う部位と頭部に固定する部位とを連結する部位（連結部位）
４１  中心線
【図１】
0003229130.tif 000003
【図２】
0003229130.tif 000004
【図３】
0003229130.tif 000005
【手続補正書】
【提出日】令和2年8月20日(2020.8.20)
【手続補正１】
【補正対象書類名】実用新案登録請求の範囲
【補正対象項目名】全文
【補正方法】変更
【補正の内容】
【実用新案登録請求の範囲】
【請求項１】
顔面を覆う部位（２０）と、頭部に固定する部位（３０）と、該顔面を覆う部位（２０）と該頭部に固定する部位（３０）とを連結する部位（４０）とからなり、かつ、それらが１枚の可撓性を有する透明シートで形成されており、かつ、前記頭部に固定する部位（３０）は頭部の全周で支持されることによって頭部に固定する構造を有するフェイスシールド。
【請求項２】
前記頭部の全周で支持されることによって頭部に固定する構造は、頭部に固定する部位（３０）中に長手方向に向かって延在する切り込み部（３３）によって構成される頭部の前周部によって支持される部分（３０ａ）と頭部の後周部によって支持される部分（３０ｂ）とからなることを特徴とする請求項１に記載のフェイスシールド。
【請求項３】
前記長手方向に向かって延在する切り込み部（３３）の延長線上に前記切り込み部（３３）の幅よりも頭部に固定する部位（３０）の幅方向において大きな長さを有する孔（３４）が穿設されている請求項２に記載のフェイスシールド。
【請求項４】
前記顔面を覆う部位（２０）は、その長手方向両端部に、前記頭部に固定する部位（３０）に係止可能とする係止機構を有する請求項２または３に記載のフェイスシールド。
【請求項５】
前記係止機構は、前記顔面を覆う部位（２０）内に穿設された上に開いたＵ字状もしくはコの字状の孔若しくは切り込みによって設けられるタブである請求項４に記載のフェイスシールド。
【請求項６】
前記顔面を覆う部位（２０）と頭部に固定する部位（３０）とを連結する部位（４０）は、複数の箇所において顔面を覆う部位（２０）と頭部に固定する部位（３０）とを連結していることを特徴とする請求項１〜５のいずれかに記載のフェイスシールド。
【請求項７】
前記可撓性を有する透明シートは樹脂から実質的になるものである請求項１〜６のいずれかに記載のフェイスシールド。
【請求項８】
前記可撓性を有する透明シートは、厚みが１０〜５００μｍである請求項１〜７のいずれかに記載のフェイスシールド。
【手続補正２】
【補正対象書類名】明細書
【補正対象項目名】０００９
【補正方法】変更
【補正の内容】
【０００９】
すなわち、本考案の本旨とするところは、次のとおりである。
（１）顔面を覆う部位（２０）と、頭部に固定する部位（３０）と、該顔面を覆う部位（２０）と該頭部に固定する部位（３０）とを連結する部位（４０）とからなり、かつ、それらが１枚の可撓性を有する透明シートで形成されており、かつ、かつ、前記頭部に固定する部位（３０）は頭部の全周で支持されることによって頭部に固定する構造を有するフェイスシールド。
（２）前記頭部の全周で支持されることによって頭部に固定する構造は、頭部に固定する部位（３０）中に長手方向に向かって延在する切り込み部（３３）によって構成される頭部の前周部によって支持される部分（３０ａ）と頭部の後周部によって支持される部分（３０ｂ）とからなることを特徴とする前記（１）に記載のフェイスシールド。
（３）前記長手方向に向かって延在する切り込み部（３３）の延長線上に前記切り込み部（３３）の幅よりも頭部に固定する部位（３０）の幅方向において大きな長さを有する孔（３４）が穿設されている前記（２）に記載のフェイスシールド。
（４）前記顔面を覆う部位（２０）は、その長手方向両端部に、前記頭部に固定する部位（３０）に係止可能とする係止機構を有する前記（２）または（３）に記載のフェイスシールド。
（５）前記係止機構は、前記顔面を覆う部位（２０）内に穿設された上に開いたＵ字状もしくはコの字の孔若しくは切り込みによって設けられるタブである前記（４）に記載のフェイスシールド。
（６）前記顔面を覆う部位（２０）と頭部に固定する部位（３０）とを連結する部位（４０）は、複数の箇所において顔面を覆う部位（２０）と頭部に固定する部位（３０）とを連結している前記（１）〜（５）のいずれかに記載のフェイスシールド。
（７）前記可撓性を有する透明シートは樹脂から実質的になるものである前記（１）〜（６）のいずれかに記載のフェイスシールド。
（８）前記可撓性を有する透明シートは、厚みが１０〜５００μｍである前記（１）〜（７）のいずれかに記載のフェイスシールド。